(57)【要約】【課題】球面クリックバネを用いた押しボタンスイッチの組み立て作業を簡素化する。【解決手段】基板２上に固定接点３，４が設けられ、該固定接点４の上面に球面クリックバネ５を載置し、更に、該基板２及び球面クリックバネ５の上面をカバーシート９にて被弊した押しボタンスイッチ１に於いて、該球面クリックバネ５の中央頂部であって、且つ、該カバーシート９の上面に突部１０を形成する。そして、該突部１０は軟質系接着剤１４にて形成される。該突部１０の頂部１６を平面に形成され、或いは、該突部１０ａの中央頂部に頂点１６を形成して押しボタンスイッチ１の打鍵操作の正確性を期すことができるように構成する。【選択図】　図１
2004119213.tif 000002
【特許請求の範囲】
【請求項１】
基板の上面に固定接点を設け、該固定接点の上面に球面クリックバネを配設し、更に、該基板及び該球面クリックバネの上面をカバーシートにて被弊すると共に、該カバーシートの上面に設けた押しボタンが該カバーシートを介して該球面クリックバネの上部を押圧することによりスイッチング動作を為すように構成した押しボタンスイッチに於いて、該球面クリックバネの中央頂部であって、且つ、該クリックバネを被弊したカバーシートの上面に樹脂にて形成した突部を固着し、前記押しボタンが該突部を介して該球面クリックバネを押圧できるように構成したことを特徴とする押しボタンスイッチ。
【請求項２】
上記クリックバネの頂部に設けた突部を軟質系接着剤にて形成したことを特徴とする請求項１記載の押しボタンスイッチ。
【請求項３】
上記突部の頂部を平面に形成したことを特徴とする請求項１又は２記載の押しボタンスイッチ。
【請求項４】
上記突部の中央頂部に頂点を形成したことを特徴とする請求項１又は２記載の押しボタンスイッチ。
【発明の詳細な説明】
【０００１】
【発明の属する技術分野】
本発明は、押しボタンスイッチに関するものであり、特に、押しボタンスイッチの組み立て作業の作業性を簡素化した押しボタンスイッチに関するものである。
【０００２】
【従来の技術】
従来の此種押しボタンスイッチは、基板の上面に固定接点が配設され、該固定接点の上面に球面クリックバネが記載されると共に、該基板及び該球面クリックバネはカバーシートにて被弊され、更に、該球面クリックバネの上方に上下動自在に押しボタンが装着されており、該押しボタンの下面に押し部材が設けられ、該押し部材を介して該押しボタンを打鍵することにより、前記球面クリックバネが押圧されてスイッチング動作が実行されるのであるが、該球面クリックバネの頂部が下降して該球面クリックバネが反転し、使用者に該押しボタンのクリック感を付与し乍ら、該球面クリックバネの頂部裏面が前記固定接点に接触してスイッチオンすることになる。更に、該押しボタンに対する押圧力を解除することにより、該球面クリックバネの弾性復元力により、元の状態に復帰することになる（例えば、実用新案文献１参照）。
【０００３】
又、押しボタンの下面と球面クリックバネを被弊したカバーシートの頂部を接着剤にて接着したものも提案されている。之は該押しボタンの打鍵時に、該押しボタンを押下して、球面クリックバネが反転するとき、押しボタンの下端部が該球面クリックバネの上面を滑動して中心からずれることがある。そこで、この滑動作用を防止するように構成して確実なるスイッチング動作を可能にしている（例えば、特許文献１参照）。
【０００４】
【実用新案文献１】
実開平　５−０２０２２５号
【０００５】
【特許文献１】
特願平２００１−２６２１３４
【０００６】
【発明が解決しようとする課題】
上述した従来の押しボタンスイッチは、押しボタンを打鍵する際、球面クリックバネの中心頂部を押圧して該球面クリックバネを反転できるように構成されている。しかし、該球面クリックバネが湾曲しているため、該押しボタンの下端部が該球面クリックバネの上面を滑動して中心部からずれ、前記球面クリックバネが反転したときのクリック感が劣化して感触不良となることがある。而して、このずれを防止するため、該球面クリックバネの位置決め精度や押しボタンの組み立て作業に多大な労力と時間を要している。又、該押しボタンと該球面クリックバネとを接着して上記ずれを防止する押しボタンスイッチに於いても、該球面クリックバネの頂部と該押しボタンの下端部とを正確に接着しなくてはならないため、該押しボタンスイッチの組み立て時の位置決め精度は緩和されるとしても之に要する時間と労力とが多大となる。
【０００７】
そこで、球面クリックバネを用いた押しボタンスイッチに於いて、該球面クリックバネの位置決め精度を充分に考慮することなく簡易に組み立て、更に、安定したクリック感を得るために解決すべき技術的課題が生じてくるのであり、本発明は該課題を解決することを目的とする。
【０００８】
【課題を解決するための手段】
本発明は上記目的を達成するために提案されたものであり、基板の上面に固定接点を設け、該固定接点の上面に球面クリックバネを配設し、更に、該基板及び該球面クリックバネの上面をカバーシートにて被弊すると共に、該カバーシートの上面に設けた押しボタンが該カバーシートを介して該球面クリックバネの上部を押圧することによりスイッチング動作を為すように構成した押しボタンスイッチに於いて、該球面クリックバネの中央頂部であって、且つ、該クリックバネを被弊したカバーシートの上面に樹脂にて形成した突部を固着し、前記押しボタンが該突部を介して該球面クリックバネを押圧できるように構成した押しボタンスイッチ、及び、上記クリックバネの頂部に設けた突部を軟質系接着剤にて形成した押しボタンスイッチ、並びに、上記突部の頂部を平面に形成した押しボタンスイッチ、及び、上記突部の中央頂部に頂点を形成した押しボタンスイッチを提供するものである。
【０００９】
【発明の実施の形態】
以下、本発明の一実施の形態を図１乃至図７に従って詳述する。図１は請求項１乃至請求項３記載のプッシュスイッチ１を示し、基板２に設けられている固定接点３，４上面に球面クリックバネ５が湾曲凸面を上向きにして載置されている。該球面クリックバネ５の外縁部は外側の固定接点３に接触し、該球面クリックバネ５の中心部が中央の固定接点４の上方に位置するように配置されている。　又、該球面クリックバネ５の上方には、押しボタン６がケース７に開穿されている挿通孔８に上下動自在に装着されており、且つ、該押しボタン６は前記球面クリックバネ５の中心部に一致するように配設されている。更に、該球面クリックバネ５及び基板２の上面はカバーシート９にて被弊されており、該球面クリックバネ５の頂部であって、且つ、該球面クリックバネ５を被弊しているカバーシート９の上面に突部１０が設けられている。又、該突部１０はアクリルやウレタンに紫外線にて硬化する接着剤を混合した軟質の接着剤から成る。
【００１０】
而して、該突部１０を形成するには、図２及び図３に示すように、先ず、カバーシート９上にメタルマスク１１を配設する。該メタルマスク１１には所定のパターン１２，１２…に孔１３，１３…が開穿されてあり、該孔１３，１３…に前記接着剤１４，１４…が充填されている。そして、紫外線で硬化した後、該メタルマスク１１を上方へ引き上げることにより、前記突部１０，１０…が形成される。
【００１１】
更に、図４及び図５に示すように、前記カバーシート９が所定のパターン１２毎に切断された後、前記球面クリックバネ５，５…の中央頂部に位置するように配設される。そして、図６に示すように該突部１０及び球面クリックバネ５を装着したカバーシート９を、前記固定接点３，４が配設された基板２の上面に貼着し、更に、図１に示すように前記押しボタン６を装着して押しボタンスイッチ１が組み立てられる。該突部１０を形成する際には、上述のメタルマスク工法に限定せられるべきではなく、スクリーン印刷工法及びポッティング等によっても形成することができ、該突部１０の高さを考慮して適切な形成方法を選択するを可とする。
【００１２】
斯くの如くして組み立てられた押しボタンスイッチ１は、押しボタン６を打鍵することにより、該押しボタン６が押し下げられて突部１０を介して前記球面クリックバネ５が押圧される。そして、該球面クリックバネ５の頂部１５が下降し、そして、該球面クリックバネ５が反転してその頂部裏面が前記固定接点４に接触する。又、該押しボタン６の押圧を解除すれば、該球面クリックバネ５の弾性復元力により元の状態に復帰して該押しボタンスイッチ１がスイッチング動作を為す。
【００１３】
このときは、前記突部１０の頂部１５が平面に形成されているので、該突部１０と押しボタン６の裏面とが面接触となり、譬え前記押しボタン６を斜傾して打鍵したとしても、該押しボタン６の姿勢を修正して垂直に該球面クリックバネ５の中心を押圧するように修正される。
【００１４】
更に、突部１０は球面クリックバネ５の中央頂部に形成されているので、押しボタン６に位置ずれが生じたとしても、該球面クリックバネ５の中央を確実に押圧して使用者に押しボタンスイッチ１のクリック感を付与することができる。又、該突部１０が弾性力を有する樹脂にて形成されているので、該球面クリックバネ５の弾性力と相俟って押しボタンスイッチ１のクリック感を向上させることができると共に、押しボタン６とカバーシート９の接触による損傷を防止することもができる。
【００１５】
一方、図７は請求項４記載の発明を示し、球面クリックバネ５の頂部に形成した突部１０ａの中央頂点１６を形成している。更に、押しボタン６ａの裏面には、該突部１０ａの上部の形状に沿って凸部１７が形成されている。斯くして、押しボタンスイッチ１ａを打鍵した際に、該突部１０ａの上部と該押しボタン６ａの凹部１７とが合致して前述の押しボタンスイッチ１と同様に該押しボタン６ａの姿勢を修正して確実に該球面クリックバネ５の中央を押圧することができる。更に、該突部１０ａの頂部中央に頂点１６を形成したので、押しボタン６ａの打鍵の際の押圧応力が中央に集中する。従って、上述の姿勢の修正動作と相俟って押しボタンスイッチ１ａのクリック感を感受することができる。
【００１６】
尚、本発明は、本発明の精神を逸脱しない限り種々の改変を為すことができ、そして、本発明が該改変されたものに及ぶことは当然である。
【００１７】
【発明の効果】
本発明は上記一実施の形態に詳述したように請求項１記載の発明は、球面クリックバネの中央頂部であって、且つ、該球面クリックバネを被弊したカバーシートの上面に樹脂にて形成した突部を形成している。そして、該突部を介して該球面クリックバネの頂部中央を押圧できるように構成しているので、押しボタンを押し下げて球面クリックバネが反転する際に、該押しボタンにずれが生じたとしても確実に該球面クリックバネの中心部を押圧する。従って、使用者は良好なるクリック感を感受することができる。斯くして、球面クリックバネの位置決め精度や押しボタンの組み立て精度をさほど考慮せずして適切なクリック感が付与されると共に、押しボタンスイッチの組み立て作業が簡素化されるのである。
【００１８】
又、請求項２記載の発明は、上記突部を軟質系接着剤で形成しているので、請求項１記載の発明の効果に加え、上記上面クリックバネの反転が繰り返されても、該突部にひび割れや剥離が生じることはなく、長期に亘って安定したクリック感を維持できる。更に、該突部の弾性力と球面クリックバネの弾性力との相乗作用によって、押しボタンスイッチのクリック感が一層向上する。
【００１９】
又、請求項３記載の発明は、上記突部の頂部を平面に形成しているので、押しボタンとの接触が面接触となる。従って、該押しボタンが斜傾して打鍵されても該押しボタンの姿勢を修正して垂直に球面クリックバネを押圧することができるので、請求項１又は２記載の発明の効果に加え、該球面クリックバネを反転させて使用者に適切なクリック感を感受させることが可能となる。
【００２０】
更に、請求項４記載の発明は、上記突部の中央頂部に頂点を形成したことから、押しボタンの押圧応力を中央に集中することができる。従って、請求項１又は２記載の発明の効果に加え、球面クリックバネの中央を確実に押圧して使用者に確かなクリック感を付与することができる。
【図面の簡単な説明】
【図１】請求項１乃至請求項３記載の一実施の形態を示し、押しボタンスイッチの一部切欠縦断面図。
【図２】カバーシートにメタルマスクを用いて突部を形成する状態を示す一部切欠平面図。
【図３】カバーシート上面にメタルマスクを載置して接着剤を充填した状態を示す一部切欠拡大縦断面図。
【図４】カバーシートを所定のパターン毎に切断した状態を示す平面図。
【図５】カバーシート裏面に球面クリックバネを固着した状態を示す裏面図。
【図６】突部と球面クリックバネを装着したカバーシートを基板に貼着する状態を示す一部切欠拡大縦断面図。
【図７】請求項４記載の一実施の形態を示し、押しボタンスイッチの縦断面図。
【符号の説明】
１，１ａ　　　押しボタンスイッチ
２　　　　　　基板
３，４　　　　固定接点
５　　　　　　球面クリックバネ
６，６ａ　　　押しボタン
９　　　　　　カバーシート
１０，１０ａ　　突部
１４　　　　　　接着剤
１５　　　　　　頂部
１６　　　　　　頂点
【図１】
2004119213.tif 000003
【図２】
2004119213.tif 000004
【図３】
2004119213.tif 000005
【図４】
2004119213.tif 000006
【図５】
2004119213.tif 000007
【図６】
2004119213.tif 000008
【図７】
2004119213.tif 000009